(57)【特許請求の範囲】
【請求項１】
内容物を吐出するポンプ装置と、該ポンプ装置を作動させるトリガーレバーと、該トリガーレバーを引かれた状態で固定するストッパーとを備えるトリガー式のストッパー付ポンプ容器であって、
前記ストッパーは、前記トリガーレバーを挟んだ両側に配置される一対の側壁部と、該一対の側壁部の間に介在して設けられ、引かれた状態の前記トリガーレバーを係止固定するレバー係止部と、該一対の側壁部に各々設けられ、前記トリガーレバーを前記レバー係止部に係止した状態で容器の外周部分に着脱可能に係合する係合部とを有するストッパー付ポンプ容器。
【請求項２】
前記トリガーレバーは、前記レバー係止部に当接することにより、引かれた状態で前記レバー係止部に係止固定される請求項１記載のストッパー付ポンプ容器。
【請求項３】
前記一対の側壁部と前記レバー係止部とが、コの字断面形状を有するように一体として形成されている請求項１又は２記載のストッパー付ポンプ容器。
【請求項４】
前記レバー係止部は、ノズル格納部を備える請求項１〜３のいずれかに記載のストッパー付ポンプ容器。
【請求項５】
前記ノズル格納部が、吐出ノズルの蓋を兼ねる請求項４記載のストッパー付ポンプ容器。
【請求項６】
前記ストッパーは、ガスバリア性を有する材質の材料を用いて形成される請求項１〜５のいずれかに記載のストッパー付ポンプ容器。
【請求項７】
容器本体の収容部と吐出ノズルとが前記ポンプ装置を挟んで上下に配置されると共に、前記吐出ノズルの吐出方向が前記収容部と反対側となっており、前記トリガーレバーは、前記レバー係止部に係止固定された状態において、操作部が容器本体の側方に延設すると共に、前記吐出ノズルを挟んだ前記操作部とは反対側の基端部が容器の上部に回動可能に連結している請求項１〜６のいずれかに記載のストッパー付ポンプ容器。
【請求項８】
請求項１〜７のいずれかに記載のストッパー付ポンプ容器に用いるストッパーであって、
前記トリガーレバーを挟んだ両側に配置される一対の側壁部と、該一対の側壁部の間に介在して設けられ、引いた状態の前記トリガーレバーを係止固定するレバー係止部と、該一対の側壁部に各々設けられ、前記トリガーレバーを前記レバー係止部に係止した状態で、前記側壁部を容器の外周部分に着脱可能に係合する係合部とを有するストッパー。
【発明の詳細な説明】
【技術分野】
【０００１】
本発明は、内容物を吐出するためのポンプ装置と、ポンプ装置を作動させるトリガーレバーと、トリガーレバーを引いた状態で固定するストッパーとを備えるトリガー式のストッパー付ポンプ容器及びストッパーに関する。
【背景技術】
【０００２】
トリガー式のポンプ容器は、トリガーの操作部を容器側に引くことによりポンプ装置を作動させて、容器本体の収容部に収容された内容物を吐出ノズルから吐出させる容器である。またトリガー式のポンプ容器では、輸送中や使用時における意に反する吐出や不用意な吐出を回避できるように、吐出ノズルの吐出口やトリガーの操作部を覆うことによって操作部の動きをロックするストッパーを、ロック及びその解除を簡便に行い得るように設けたものが開示されている（例えば、特許文献１参照）。
【０００３】
一方、例えばポンプディスペンサーとして、押し下げヘッドを押し下げた状態で容器本体側へ係止させて、出荷時の包装等が嵩張るの回避すると共に、バージン機構を施した縦型ポンプ容器が開示されている（例えば、特許文献２参照）。
【特許文献１】特開２００１−３４１７６７号公報
【特許文献２】特開２００６−８９１１０号公報
【発明の開示】
【発明が解決しようとする課題】
【０００４】
トリガー式のポンプ容器についても、流通過程において例えば包装状態の容積が嵩ばらないようにすることが望ましいが、特許文献１に記載のストッパーでは、トリガーの操作部を引かれた状態でロックしておくことは困難である。また、特許文献２に記載の押し下げた状態に押し下げヘッドを保持する機構は、トリガー式のポンプ容器にそのまま適用することが困難であると共に、バージン機構を兼ねているため、組みつけが容易ではない。
【０００５】
本発明は、トリガー式のポンプ容器のトリガーの操作部を、引かれた状態に容易に保持しておくことができると共に、組みつけを容易に行うことのできるストッパー付ポンプ容器及びストッパーを提供することを目的とする。
【課題を解決するための手段】
【０００６】
本発明は、内容物を吐出するポンプ装置と、該ポンプ装置を作動させるトリガーレバーと、該トリガーレバーを引かれた状態で固定するストッパーとを備えるトリガー式のストッパー付ポンプ容器であって、前記ストッパーは、前記トリガーレバーを挟んだ両側に配置される一対の側壁部と、該一対の側壁部の間に介在して設けられ、引かれた状態の前記トリガーレバーを係止固定するレバー係止部と、該一対の側壁部に各々設けられ、前記トリガーレバーを前記レバー係止部に係止した状態で容器の外周部分に着脱可能に係合する係合部とを有するストッパー付ポンプ容器を提供することにより、上記目的を達成したものである。
【０００７】
本発明は、上記ストッパー付ポンプ容器に用いるストッパーであって、前記トリガーレバーを挟んだ両側に配置される一対の側壁部と、該一対の側壁部の間に介在して設けられ、引かれた状態の前記トリガーレバーを係止固定するレバー係止部と、該一対の側壁部に各々設けられ、前記トリガーレバーを前記レバー係止部に係止した状態で、前記側壁部を容器の外周部分に着脱可能に係合する係合部とを有するストッパーを提供することにより、上記目的を達成したものである。
【発明の効果】
【０００８】
本発明のストッパー付ポンプ容器又はストッパーによれば、トリガー式のポンプ容器のトリガーの操作部を、引かれた状態に容易に保持しておくことができると共に、組みつけを容易に行うことができる。
【発明を実施するための最良の形態】
【０００９】
以下に、本発明のストッパー付ポンプ容器について、その好ましい一実施形態を図面を参照しながら説明する。図１及び図２に示す本実施形態のストッパー付ポンプ容器１０は、トリガーレバー１１の操作部１２による移動方向Ｘが、ポンプ装置１３の吐出ノズル１４からの吐出方向Ｙと略垂直になった、いわゆる縦型トリガー容器であって、チューブ状の容器本体１５と、容器本体１５の口部１５ａに装着固定された、トリガーレバー１１によって作動するポンプ装置１３と、ストッパー１６とを備えている。
【００１０】
このような縦型トリガー式のポンプ容器では、吐出ノズルからの吐出方向がトリガーレバーの操作部の引き方向と逆方向となっている通常の横型トリガー式のポンプ容器と比較して、引かれていない状態でのトリガーレバー１１の操作部１２の容器本体１５からの張り出し量が大きくなる（図４参照）。
【００１１】
本実施形態のポンプ容器１０は、ストッパー１６を組みつけることにより、トリガーレバー１１の操作部１２を引かれた状態に保持して、特に、例えば包装した流通過程において、容積が嵩ばらないようにして、容器全体のコンパクト化を容易に図ることができるようにすることを目的として採用されたものである。
【００１２】
そして、本実施形態のストッパー付ポンプ容器１０は、内容物を吐出するポンプ装置１３と、ポンプ装置１３を作動させるトリガーレバー１１と、トリガーレバー１１を引かれた状態で固定するストッパー１６とを備えるトリガー式のポンプ容器であって、ストッパー１６は、図３にも示すように、トリガーレバー１１を挟んだ両側に配置される一対の側壁部１７と、これらの一対の側壁部１７の間に介在して設けられ、引かれた状態のトリガーレバー１１を係止固定するレバー係止部１８と、一対の側壁部１７に各々設けられ、トリガーレバー１１をレバー係止部１８に係止した状態で容器１０の外周部分に着脱可能に係合する係合部１９とを有している。
【００１３】
また、本実施形態では、容器本体１５の収容部１５ｂと吐出ノズル１４とがポンプ装置１３を挟んで上下に配置されると共に、吐出ノズル１４の吐出方向Ｙが容器本体１５の収容部１５ｂと反対側となっており、トリガーレバー１１は、レバー係止部１８に係止固定された状態において、操作部１２が容器本体１５の側方に延設していると共に、吐出ノズル１４を挟んだ操作部１２とは反対側の基端部２０が容器１０の上部に回動可能に連結している。
【００１４】
本実施形態では、ポンプ装置１３が装着固定される容器本体１５は、可撓性を有するシート材料からなり、口部１５ａとは反対側の端部が閉塞されたチューブ状の筒状体である。
【００１５】
容器本体１５の収容部１５ｂには、酸化により劣化する内容物（図示せず）が収容されている。そのような内容物としては、例えば、２剤式染毛剤の第１剤が挙げられる。容器本体１５の収容部１５ｂに収容されている内容物は、ポンプ装置１３のポンプ作用によって吸引され、吐出ノズル１４から吐出される。
【００１６】
容器本体１５は、酸素により劣化する内容物を収容した場合に該内容物の劣化を防止するために、酸素バリア性を有するシート材料からなる。そのようなシート材料としては、例えばアルミラミネート樹脂が挙げられる。容器本体１５は、例えば内径が１０〜５０ｍｍ程度、高さ（長さ）が７０〜２００ｍｍ程度の円筒状に形成される。
【００１７】
本実施形態では、ポンプ装置１３は、一般にポリオレフィン樹脂等の合成樹脂からなり、図４にも示すように、ポンプ本体２１と吐出ノズル１４とを備えている。
【００１８】
ポンプ本体２１は、その内部に、計量室２２を含む公知のポンプ機構を備える。具体的には、円筒状のシリンダー２３、シリンダー２３の内面を密着摺動するピストン２４、シリンダー２３の下端部に設けられた吸入弁２５、ピストン２４の下端部に設けられた吐出弁２６等を備える。またポンプ本体２１は、ステム２７、ステム押さえ２８、スプリング２９、スプリング押さえ３０等を備えている。
【００１９】
ポンプ本体２１は、シリンダー２３によってその外殻部が構成されている。シリンダー２３の外周面２３ａは、容器本体１５の口部１５ａの内径と同じか、僅かに大きい外径を有している。これによって、シリンダー２３の外周面２３ａは、ポンプ本体２１が容器本体１５の口部１５ａに挿入装着された際に、口部１５ａの内周面と強固に密着する。またシリンダー２３の外周面２３ａは、ヒートシール性を有するポリオレフィン樹脂等からなる。これによって、容器本体１５の口部１５ａにポンプ本体２１を装着した後に、公知のヒートシール手段を用いて容器本体１５の外側からヒートシールを施すことにより、シリンダー２３の外周面２３ａと容器本体１５の口部１５ａの内周面とを、気密な状態で強固に密着接合することが可能になる。これらによって、ポンプ本体２１は、シリンダー２３の外周面２３ａを口部１５ａの内周面に密着させ、容器本体１５のシート材料で覆われた状態で、口部１５ａに固定されるようになっている。
【００２０】
ポンプ装置１３は、前述のように、ポリオレフィン樹脂等の合成樹脂からなるが、このような材料から形成されたポンプ装置１３は、それ自体が酸素バリア性を有していない。而して、本実施形態のポンプ装置１３では、計量室２２に、容器本体１５の収容部１５ｂに収容された内容物に対して不活性なガスが充填されている。ここでいう「不活性」とは、内容物に対する相対的なものである。具体的には、染毛剤等の酸素により劣化する内容物に対して不活性なガスとしては、例えば窒素ガス、ヘリウムガスが挙げられる。
【００２１】
吐出ノズル１４は、スプリング押さえ３０に一体として接合されることにより、ポンプ本体２１から上方に突出して設けられており、スプリング押さえ３０及びステム２７を介してピストン２４に連結されている。本実施形態では、吐出ノズル１４は、トリガーレバー１１による操作によって押圧されることにより、ピストン２４をシリンダー２３に対して密着摺動させ、そのポンプ作用によって、容器本体１５から吸入弁２５を介して内容物を計量室２２に吸引する。そして、計量室２２に吸引された内容物を、吐出弁２６を介して、吐出ノズル１４の先端のノズル開口１４ａから必要量吐出させる。
【００２２】
本実施形態では、容器本体１５の上端部分の外周面を覆うようにして、把持ホルダ３１が取り付けられている。把持ホルダ３１は、相当の保形剛性を有する筒状部材であって、容器本体１５の上端部分に装着されることにより、柔軟なチューブ状の容器本体１５を補強して、トリガーレバー１１を操作する際の把持力を強固に支持する。なお、把持ホルダ３１を容器本体１５の上端部分に装着するための手段としては、例えば、凸部を凹部に嵌め込むことによる嵌着や、雄ネジと雌ネジとをネジ込むことによる螺着等が挙げられる。本実施形態においては、嵌着が用いられている。
【００２３】
また、本実施形態では、把持ホルダ３１の一部が上方に突出して軸支部３１ａを形成しており、この軸支部３１ａに、トリガーレバー１１が、回動可能にピン結合される。
【００２４】
トリガーレバー１１は、操作部１２と押圧部３２とからなる略直角に屈曲したくの字形状を有しており、その基端部２０が把持ホルダ３１の軸支部３１ａに回動可能に軸支されている。トリガーレバー１１の基端部２０から横方向に延設される押圧部３２の中央部分には、吐出ノズル１４を貫通させて上方に突出させる切欠き穴４０が形成されている。また押圧部３２の例えば切欠き穴４０の周囲の部分には、押圧凸部（図示せず。）が設けられている。この押圧凸部によって、トリガーレバー１１の操作部１２を容器本体１５側に引く操作を行う際に、スプリング２９の付勢力に抗してスプリング押さえ３０を押し下げ、これに伴って、吐出ノズル１４と共にステム２７及びピストン２４を下方に押し下げることができるようになっている。
【００２５】
トリガーレバー１１の操作部１２は、押圧部３２から略直角に屈曲した部分である。操作部１２は、把持ホルダ３１を把持しつつトリガーレバー１１を操作する際に、手指を掛けて容器本体１５側に引く操作を行い易いように、若干内側に湾曲した形状を備えている。
【００２６】
そして、本実施形態のポンプ容器１０では、特に縦型トリガー式の容器であることから、図４に示すように、トリガーレバー１１が引かれていない開放状態では、トリガーレバー１１の操作部１２は、容器１０から大きく張り出した状態となる。このままの状態で、例えば包装等がなされて流通過程におかれると、容積が嵩ばって好ましくない。したがって、本実施形態では、図１及び図２示すように、ストッパー１６を組みつけ、トリガーレバー１１の操作部１２を引かれた状態に保持することにより、特に流通過程において、容器全体のコンパクト化を図ることができるようにしている。
【００２７】
本実施形態では、ストッパー１６は、図３にも示すように、トリガーレバー１１を挟んだ両側に配置される一対の側壁部１７と、一対の側壁部１７の間に介在して設けられ、引いた状態のトリガーレバー１１を係止固定するレバー係止部１８と、一対の側壁部１７に各々設けられ、トリガーレバーをレバー係止部１８に係止した状態で、側壁部１７を容器の外周部分に着脱可能に係合する係合部１９とを有している。
【００２８】
また、本実施形態では、トリガーレバー１１は、その押圧部３２の上面がストッパー１６のレバー係止部１８に当接することにより、引かれた状態でレバー係止部１８に係止固定されるようになっている。
【００２９】
本実施形態では、ストッパー１６は、好ましくはガスバリア性（酸素バリア性）を有する材質の材料として、例えばエチレン−ビニルアルコール共重合体、ポリエチレンナフタレート、ポリエチレンテレフタレート等の合成樹脂を用いて、一対の側壁部１７とレバー係止部１８とが、コの字断面形状を有するように一体として形成されている。ストッパー１６がガスバリア性を有する材質の材料を用いて形成されることにより、容器本体１５及び吐出ノズル１４を含めた容器全体のガスバリア性をさらに向上させることが可能になる。
【００３０】
側壁部１７は、レバー係止部１８側の傾斜部１７ａと、接続稜線部３３を挟んで傾斜部１７ａと連接する平行部１７ｂとからなる。各側壁部１７には、接続稜線部３３の近傍部分を除いて、傾斜部１７ａと平行部１７ｂとに跨って切り込み３４を入れることにより、この切り込み３４によって傾斜部１７ａ及び平行部１７ｂから切り離された係合部１９が形成されている。
【００３１】
係合部１９は、切り込み３４によって傾斜部１７ａ及び平行部１７ｂから切り離された平板状の部分であって、平行部１７ｂに沿って配置されることにより、その接続稜線部３３よりも上方の部分が、押圧部１９ａとして、傾斜部１７ａから離間した状態で片持ち状に設けられる。また係合部１９は、接続稜線部３３の近傍部分において平行部１７ｂと接合しており、この接合部３５を中心として、シーソー状に傾くように揺動できるようになっている。
【００３２】
さらに、係合部１９には、その下端部分に、内側に突出する部分を有する横長形状の係合爪３６が設けられている。例えば各係合部１９の接続稜線部３３よりも下方の部分１９ｂを両側から同時に内側に押し込むことにより、係合爪３６を、容器本体１５の上端部分に装着した把持ホルダ３１の下端縁部３１ｂに係合係止させる（図１参照）。これによって、トリガーレバー１１をレバー係止部１８に当接係止した状態で、ストッパー１６を容器１０の上部外周部分に固定しておくことが可能になる。またストッパー１６が容器１０の上部外周部分に固定された状態から、例えば各係合部１９の押圧部１９ａを両側から同時に内側に押し込むことにより、係合部１９の接続稜線部３３よりも下方の部分１９ｂが外側に開くことになる。これによって、係合爪３６の把持ホルダ３１の下端縁部３１ｂへの係合状態を解除して、ストッパー１６を容器１０から取り外すことが可能になる。
【００３３】
ストッパー１６のレバー係止部１８は、一対の側壁部１７の上端縁部を繋ぐようにして設けられた矩形平板形状の部分である。レバー係止部１８は、ストッパー１６を容器１０の上部外周部分に装着固定した際に、トリガーレバー１１の押圧部３２を下方に押し込むようにしつつ、ポンプ装置１３のスプリング２９からの弾性付勢力によって、押圧部３２の上面を当該レバー係止部１８の下面に当接させる。これによって、操作部１２が引かれた状態でトリガーレバー１１を係止することが可能になる。なお、トリガーレバー１１がレバー係止部１８によって係止されて操作部１２が引かれている状態には、操作部１２を完全に引ききって全く動けない状態の他、ポンプ装置１３が作動しない程度の遊びを持って引かれた状態を含むことは勿論である。
【００３４】
ストッパー１６の装着により、トリガーレバー１１が引かれた状態で固定される。すなわちピストン２４が押され、シリンダー２３内部の計量室２２の体積が小さくなり吸入弁２５と吐出弁２６が接近し閉じた状態で固定されている。
【００３５】
また、本実施形態では、レバー係止部１８の中央部分から上方に突出して、有天円筒形状のノズル格納部３７が設けられている。本実施形態では、ノズル格納部３７は、吐出ノズル１４の蓋を兼ねるようになっている。ノズル格納部３７は、ストッパー１６が容器１０の上部外周部分に装着固定された際に、トリガーレバー１１の押圧部３２を貫通して上方に突出する吐出ノズル１４を収納する。吐出ノズル１４がノズル格納部３７に収納されることにより、吐出ノズル１４のノズル開口１４ａを閉塞して、例えば吐出ノズル１４の内部に滞留する内容物の固化を防止することが可能になる。
【００３６】
そして、上述の構成を備える本実施形態のストッパー１６及びストッパー付ポンプ容器１０によれば、トリガーレバー１１の操作部１２を、引かれた状態に容易に保持しておくことができると共に、ストッパー１６の組みつけを容易に行うことができる。
【００３７】
すなわち、本実施形態によれば、ストッパー１６は、トリガーレバー１１の両側に配置される一対の側壁部１７と、一対の側壁部１７の間に介在して設けられて引かれた状態のトリガーレバー１１を係止固定するレバー係止部１８と、トリガーレバー１１をレバー係止部１８に係止した状態で容器本体１５（把持ホルダ３１）の外周部分に着脱可能に係合する係合部１９とからなる。したがって、レバー係止部１８の下面に、ポンプ装置１３のスプリング２９の弾性付勢力によってトリガーレバー１１の押圧部３２の上面を当接係止させた状態で、係合部１９の係合爪３６を把持ホルダ３１の下端縁部３１ｂに係合することにより、ストッパー１６を容器１０に容易に組み付けることが可能になると共に、トリガーレバー１１のレバー係止部１８への係止状態によって、トリガーレバー１１の操作部１２を、図１及び図２に示すように、引かれた状態で、且つ容器本体１５の側面に沿って大きく張り出すことなく配置された状態で強固に保持することが可能になる。これによって、特に流通過程において、容積が嵩ばらないようにして、容器全体のコンパクト化を容易に図ることが可能になる。
【００３８】
また、計量室２２の体積を小さくし、弁２５，２６を固定した状態に維持していることで、流通過程での空気の出入りを遮断でき、実使用時においても計量室２２内に内容物を極力保持しない状態で保存することができるため空気中の酸素による劣化を抑制することが可能になる。
【００３９】
なお、本発明は上記実施形態に限定されることなく種々の変更が可能である。例えば、引かれた状態のトリガーレバーを係止固定するストッパーのレバー係止部は、トリガーレバーを当接係止する平板状の部分である必要は必ずしもなく、例えば嵌合係止する凹嵌部等によるものであっても良い。また、ストッパーの係合部が係合する容器の外周部分は、把持ホルダの下端縁部である必要は必ずしもない。さらに、本発明のストッパー付ポンプ容器は、トリガーレバーの操作部による移動方向が、ポンプ装置の吐出ノズルからの吐出方向と略垂直になった、いわゆる縦型トリガー容器である必要は必ずしもなく、例えばストッパーを横方向から装着して、吐出ノズルからの吐出方向がトリガーレバーの操作部の引き方向と逆方向となっている、わゆる横型トリガー式のポンプ容器に適用することもできる。さらにまた、例えば特願２００７−１６４９２６に示す、２剤式のポンプ容器に適用することもできる。
【００４０】
また、ストッパー１６は、その形状を種々変更して形成することができる。例えば、図５（ａ）に示すように、一対の側壁部１７をレバー係止部１８よりも上方に延設させて、三角形の断面形状を有すると共に、レバー係止部１８よりも上方部分を格納室３８として吐出ノズル１４を収納できるようにした形状に形成することもできる。また、例えば、図５（ｂ）に示すように、一対の側壁部１７を平行に配置して、コの字断面形状を有すると共に、レバー係止部１８よりも上方部分に中空六面体形状の格納室３９を設けて吐出ノズル１４を収納できるようにした形状に形成することもできる。
【図面の簡単な説明】
【００４１】
【図１】本発明の好ましい一実施形態に係るストッパー付ポンプ容器の要部を示す正面図である。
【図２】本発明の好ましい一実施形態に係るストッパー付ポンプ容器の要部を、ストッパーを透視して示す断面図である。
【図３】ストッパーの斜視図である。
【図４】ストッパーを取り外した上体のストッパー付ポンプ容器の要部を示す正面図である。
【図５】ストッパーの他の形態を例示する斜視図である。
【符号の説明】
【００４２】
１０  ストッパー付ポンプ容器
１１  トリガーレバー
１２  トリガーレバーの操作部
１３  ポンプ装置
１４  吐出ノズル
１５  容器本体
１５ａ  容器本体の口部
１５ｂ  容器本体の収容部
１６  ストッパー
１７  側壁部
１８  レバー係止部
１９  係合部
２０  トリガーレバーの基端部
２１  ポンプ本体
２３  シリンダー
２９  スプリング
３０  スプリング押さえ
３１  把持ホルダ
３１ａ  把持ホルダの軸支部
３１ｂ  把持ホルダの下端縁部
３２  トリガーレバーの押圧部
３６  係合爪
３７  ノズル格納部
【図１】
0004942622.tif 000002
【図２】
0004942622.tif 000003
【図３】
0004942622.tif 000004
【図４】
0004942622.tif 000005
【図５】
0004942622.tif 000006